(57)【要約】【課題】  ネットワークの圏外にいたため呼び出しに応じられなかった移動局若しくはグループ通話中に圏外となった移動局がグループ通話に途中参加（再参加）することを可能とする。【解決手段】  本発明に係る移動局は、複数の移動局間で通話データが送受信されるグループ通話に参加可能な移動局であって、前記グループ通話への呼び出しに対して未応答の移動局を示す未応答移動局情報を受信する受信部と、前記グループ通話中に、前記未応答移動局情報に対応する移動局を前記グループ通話に途中参加させるための呼び出しメッセージを送信する送信部とを備えることを特徴とする。【選択図】  図１
2008005169.tif 000002
【特許請求の範囲】
【請求項１】
複数の移動局間で通話データが送受信されるグループ通話に参加可能な移動局であって、  前記グループ通話への呼び出しに対して未応答の移動局を示す未応答移動局情報を受信する受信部と、
前記グループ通話中に、前記未応答移動局情報に対応する移動局を前記グループ通話に途中参加させるための呼び出しメッセージを送信する送信部とを備えることを特徴とする移動局。
【請求項２】
前記未応答移動局情報に対応する移動局の途中参加を認めるか否かの判断を促す情報を表示する表示部を更に具備し、
前記送信部は、前記未応答移動局情報に対応する移動局の途中参加を認めるか否かを示す指示に基づいて、前記呼び出しメッセージを送信することを特徴とする請求項１に記載の移動局。
【請求項３】
複数の移動局間で通話データが送受信されるグループ通話に参加可能な移動局であって、
前記グループ通話中にネットワークの圏外に移動した移動局を示す圏外移動局情報を受信する受信部と、
前記グループ通話中に、前記圏外移動局情報に対応する移動局を前記グループ通話に途中参加させるための呼び出しメッセージを送信する送信部とを備えることを特徴とする移動局。
【請求項４】
前記圏外移動局情報に対応する移動局の途中参加を認めるか否かの判断を促す情報を表示する表示部を更に具備し、
前記送信部は、前記圏外移動局情報に対応する移動局の途中参加を認めるか否かを示す指示に基づいて、前記呼び出しメッセージを送信することを特徴とする請求項３に記載の移動局。
【発明の詳細な説明】
【技術分野】
【０００１】
本発明は、複数の移動局間で通話データが送受信されるグループ通話を管理する移動局に関する。
【背景技術】
【０００２】
従来、複数の移動局を含むグループ内で音声データなどが送受信されるグループ通話（例えば、ＰＴＴ；Ｐｕｓｈ−Ｔｏ−Ｔａｌｋ）が一般的に広く知られている（例えば、非特許文献１）。
【０００３】
このようなグループ通話では、グループ通話に参加していない移動局であっても、グループ通話に途中参加することが特に制限されていない。
【０００４】
また、グループ通話を行う移動局は、発呼側の移動局のユーザによって任意に指定される。具体的には、発呼側の移動局によって指定された移動局のうち、発呼側の移動局からの呼び出しに応じた移動局と発呼側の移動局とによってグループ通話が行われる。
【０００５】
一方で、発呼側の移動局のユーザが特定のグループ内でのみグループ通話を行うことを意図しているような場合に、そのユーザが意図していない他のユーザ（移動局）がグループ通話に途中参加することが許容されてしまうことは好ましくない。
【０００６】
従って、グループ通話に参加している移動局から呼び出された場合にのみ、グループ通話に参加していない移動局の途中参加を許容する枠組み（以下、途中参加枠組み）についても考えられている。
【０００７】
なお、例えば、グループ通話が行われる通信システムは、ＳＩＰ（Ｓｅｓｓｉｏｎ  Ｉｎｉｔｉａｔｉｏｎ  Ｐｒｏｔｏｃｏｌ）が用いられるパケット交換ＮＷと、回線交換ＮＷとを含む。
【０００８】
このような通信システムによるグループ通話において、各移動局は、グループ通話サーバに登録処理（ＩＰアドレスの取得等）を行うことを、回線交換ＮＷを通じて促され、パケット交換ＮＷを通じてグループ通話サーバに登録処理を行う。これにより、グループ通話は、グループ通話サーバによって管理され、パケット交換ＮＷ上で行われる。
【非特許文献１】“ＳＩＰ：Ｓｅｓｓｉｏｎ  Ｉｎｉｔｉａｔｉｏｎ  Ｐｒｏｔｏｃｏｌ”、ＲＦＣ３２６１
【発明の開示】
【発明が解決しようとする課題】
【０００９】
しかしながら、上述した途中参加枠組みでは、グループ通話に参加している移動局によって呼び出された場合にのみ、グループ通話に参加していない移動局の途中参加が許容される。すなわち、グループ通話に参加していない移動局が自発的にグループ通話に途中参加することができない。
【００１０】
例えば、発信側の移動局によって呼び出されたにもかかわらず、その呼び出しに応答することができなかった移動局、すなわち、発呼側の移動局のユーザがグループ通話を行うことを意図して指定した移動局であっても、自発的にグループ通話に途中参加することができない。
【００１１】
また、グループ通話に参加していたにもかかわらず、パケット交換ＮＷの圏外に移動してしまった移動局は、パケット交換ＮＷの圏内に戻った場合であっても、パケット交換ＮＷへの接続が一度切断されてしまっているため、自発的にグループ通話に途中参加（再参加）することができない。
【００１２】
このように、発呼側の移動局のユーザがグループ通話を行うことを意図して指定した移動局などが自発的にグループ通話に途中参加することができないと、ユーザの利便性が低下してしまう。
【００１３】
また、グループ通話に参加している途中でパケット交換ＮＷの圏外に移動した移動局をグループ通話に再参加させるためには、発呼側の移動局から呼び出しをかける必要がある。しかしながら、発呼側の移動局は、パケット交換ＮＷの圏外に移動した移動局が圏内に移動するタイミングがわからないため、圏内になるまで何度も呼び出さなければならず、ユーザの利便性が低下してしまう。
【００１４】
そこで、本発明は、上述した課題を解決するためになされたものであり、グループ通話に参加している移動局によって呼び出された場合にのみ、グループ通話に参加していない移動局の途中参加が許容されるシステムにおいて、移動局がグループ通話に途中参加することを可能とする移動局を提供することを目的とする。
【００１５】
特に、グループ通話の途中でパケット交換ＮＷの圏外に移動した移動局がグループ通話に再参加することを容易とする移動局を提供することを目的とする。
【課題を解決するための手段】
【００１６】
本発明の第１の特徴は、複数の移動局間で通話データが送受信されるグループ通話に参加可能な移動局であって、前記グループ通話への呼び出しに対して未応答の移動局を示す未応答移動局情報を受信する受信部と、前記グループ通話中に、前記未応答移動局情報に対応する移動局を前記グループ通話に途中参加させるための呼び出しメッセージを送信する送信部とを備える移動局であることを要旨とする。
【００１７】
かかる特徴によれば、移動局（移動局１００）は、未応答移動局情報を受信し、未応答移動局情報に対応する移動局をグループ通話に途中参加させる呼び出しメッセージを送信する。したがって、自発的にグループ通話に途中参加することが許容されていないシステムにおいて、グループ通話に呼び出されたにもかかわらず、その呼び出しに応答できなかった移動局をグループ通話に途中参加させることができる。
【００１８】
本発明の第１の特徴において、前記未応答移動局情報に対応する移動局の途中参加を認めるか否かの判断を促す情報を表示する表示部を更に具備し、
前記送信部は、前記未応答移動局情報に対応する移動局の途中参加を認めるか否かを示す指示に基づいて、前記呼び出しメッセージを送信してもよい。
【００１９】
かかる特徴によれば、表示部に未応答移動局情報に対応する移動局の途中参加を認めるか否かに係る判断を促す情報を表示することによって、グループ通話に参加している移動局のユーザの意図を反映させながら、未応答移動局情報に対応する移動局をグループ通話に途中参加させることができる。
【００２０】
本発明の第２の特徴は、複数の移動局間で通話データが送受信されるグループ通話に参加可能な移動局であって、前記グループ通話中にネットワークの圏外に移動した移動局を示す圏外移動局情報を受信する受信部と、前記グループ通話中に、前記圏外移動局情報に対応する移動局を前記グループ通話に途中参加させるための呼び出しメッセージを送信する送信部とを備える移動局であることを要旨とする。
【００２１】
かかる特徴によれば、移動局（移動局１００）は、圏外移動局情報を受信し、圏外移動局情報に対応する移動局をグループ通話に途中参加させる呼び出しメッセージを送信する。したがって、自発的にグループ通話に途中参加することが許容されていないシステムにおいて、グループ通話中に圏外に移動してしまった移動局であっても、圏内に戻った場合に、グループ通話に再参加させることができる。
【００２２】
本発明の第２の特徴において、前記圏外移動局情報に対応する移動局の途中参加を認めるか否かの判断を促す情報を表示する表示部を更に具備し、前記送信部は、前記圏外移動局情報に対応する移動局の途中参加を認めるか否かを示す指示に基づいて、前記呼び出しメッセージを送信してもよい。
【００２３】
かかる特徴によれば、表示部に圏外移動局情報に対応する移動局の途中参加を認めるか否かに係る判断を促す情報を表示することによって、グループ通話に参加している移動局のユーザの意図を反映させながら、圏外移動局情報に対応する移動局をグループ通話に途中参加させることができる。
【発明の効果】
【００２４】
本発明によれば、グループ通話に参加している移動局によって呼び出された場合にのみ、グループ通話に参加していない移動局の途中参加が許容されるシステムにおいて、移動局がグループ通話に途中参加することを可能とする移動局を提供することができる。
【発明を実施するための最良の形態】
【００２５】
（本実施形態に係る通信システムの概略構成）
図１を参照し、本実施形態に係る通信システムの概略構成について説明する。
【００２６】
本明細書において、グループ通話とは、複数の移動局間で通話データを送受信するＰＴＴ（Ｐｕｓｈ−ｔｏ−Ｔａｌｋ）や、テレビ電話会議などを含むものとする。また、グループ通話の通話データとは、例えば、ＲＴＰ（Ｒｅａｌ−ｔｉｍｅ  Ｔｒａｎｓｐｏｒｔ  Ｐｒｏｔｏｃｏｌ）等を用いて転送されるユーザデータを示し、音声データのみならず、映像データを含んでもよい。
【００２７】
図１に示すように、本実施形態に係る通信システムは、基地局２００ａと、パケット交換ＮＷ３００ａと、基地局２００ｂと、回線交換ＮＷ３００ｂと、パケット交換ＮＷ３００ａに接続されたグループ通話サーバ４００と、回線交換ＮＷ３００ｂに接続されたＳＭＳ（Ｓｈｏｒｔ  Ｍｅｓｓａｇｅ  Ｓｅｒｖｉｃｅ）サーバ５００とを有する。
【００２８】
本実施形態に係る移動局１００（移動局１００ａ〜１００ｆ）は、基地局２００ａとパケット交換ＮＷ３００ａとを介してグループ通話サーバ４００に接続可能に構成されている。
【００２９】
また、本実施形態に係る移動局１００（移動局１００ａ〜１００ｆ）は、基地局２００ｂと回線交換ＮＷ３００ｂとを介してＳＭＳサーバ５００に接続可能に構成されている。
【００３０】
また、本実施形態に係る移動局１００（移動局１００ａ〜１００ｆ）は、基地局２００ｂを介してＨＬＲ（Ｈｏｍｅ  Ｌｏｃａｔｉｏｎ  Ｒｅｇｉｓｔｅｒ）（図示なし）への位置登録処理を行う。
【００３１】
パケット交換ＮＷ３００ａに接続されたグループ通話サーバ４００は、複数の移動局１００間で通話データが送受信されるグループ通話を管理する。グループ通話サーバ４００は、ＳＩＰ（Ｓｅｓｓｉｏｎ  Ｉｎｉｔｉａｔｉｏｎ  Ｐｒｏｔｏｃｏｌ）に基づいて、複数の移動局１００間の呼制御を行う呼制御サーバの機能を備える。なお、呼制御サーバの機能は、グループ通話サーバ４００に接続された別のサーバとして構成されてもよい。
【００３２】
回線交換ＮＷに接続されたＳＭＳサーバ５００は、ショートメッセージサービスを提供する。なお、ショートメッセージサービスにおいて、移動局１００は、ＳＭＳサーバ５００からショートメッセージを受信すると、その旨をＳＭＳサーバ５００に通知するように構成されている。また、移動局１００に送信されるショートメッセージは、再送可能である。
【００３３】
ここで、ネットワークの圏内とは、パケット交換ＮＷ３００ａのエリア内かつ回線交換ＮＷ３００ｂのエリア内であることを示す。一方、ネットワークの圏外とは、パケット交換ＮＷ３００ａのエリア外又は回線交換ＮＷ３００ｂのエリア外であることを示す。
【００３４】
また、一般的な通信システムでは、回線交換ＮＷ３００ｂのエリアとパケット交換ＮＷ３００ａのエリアとは、概等しいと考えられる。
【００３５】
したがって、移動局１００が回線交換ＮＷ３００ｂの圏内に在圏していれば、移動局１００が回線交換ＮＷ３００ｂとパケット交換ＮＷ３００ａとを含むネットワークの圏内に在圏していると推定することができる。
【００３６】
本実施形態において、サーバは、グループ通話サーバ４００とＳＭＳサーバ５００とによって構成される。
【００３７】
（グループ通話サーバの構成）
図２を参照し、グループ通話サーバ４００の構成について説明する。図２に示すように、グループ通話サーバ４００は、記憶部４１０と、通信部４２０と、制御部４３０とを備える。
【００３８】
記憶部４１０は、グループ通話を管理するための情報として、図３に示す情報を記憶する。記憶部４１０は、図３に示すように、メンバー履歴と、移動局種別と、移動局状態とをグループ通話毎に関連付けて記憶する。
【００３９】
メンバー履歴とは、グループ通話に係る移動局１００を識別可能な情報を記憶する。
【００４０】
ここで、グループ通話に係る移動局１００とは、他の一以上の移動局１００を呼び出すことによってグループ通話を開始する発呼側の移動局１００や、グループ通話を開始する際に発呼側の移動局１００のユーザによって指定された他の一以上の移動局１００（初期指定メンバー）、グループ通話の開始後にグループ通話に参加している移動局１００によってグループ通話に途中参加するように呼び出された移動局１００（途中指定メンバー）である。
【００４１】
なお、初期指定メンバーは、グループ通話を開始する際に発呼側の移動局１００によって呼び出され、当該呼び出しに応答することによってグループ通話に参加する。
【００４２】
移動局種別とは、グループ通話に係る移動局１００の種別を識別する情報である。具体的には、移動局１００の種別に応じて、上述の発呼側の移動局１００を示す「発呼側」、発呼側の移動局１００によりグループ通話の開始時に呼び出された移動局１００を示す「初期指定メンバー」、グループ通話の開始後にグループ通話に参加している移動局１００により呼び出された移動局１００を示す「途中指定メンバー」等の情報が記憶される。
【００４３】
移動局状態とは、グループ通話に係る移動局１００の状態を示す情報である。具体的には、移動局１００の状態に応じて、例えば、「参加中」、「未応答（圏外）」、「圏外」等の情報が記憶される。
【００４４】
「参加中」とは、移動局１００がグループ通話に参加していることを示す。
【００４５】
「未応答（圏外）」とは、後述する圏外検出処理部４３２によって検出された未応答（圏外）移動局であることを示す。ここで、未応答（圏外）移動局とは、グループ通話への呼び出しに未応答の移動局１００のうち、ネットワークの圏外のため応答できなかった移動局１００である。
【００４６】
「圏外」とは、後述する圏外検出処理部４３２によって検出された圏外移動局であることを示す。ここで、圏外移動局とは、グループ通話中にネットワークの圏外に移動したため通信が途絶えた移動局１００である。
【００４７】
通信部４２０は、移動局１００の呼制御に係るＳＩＰのメッセージ（ＩＮＶＩＴＥメッセージ、２００  ＯＫ、ＡＣＫ、ＢＹＥ等）を移動局１００と送受信する。具体的には、通信部４２０は、グループ通話を開始する際に、発呼側の移動局１００が他の一以上の移動局１００を呼び出すＩＮＶＩＴＥメッセージ（ＩＮＶＩＴＥ（新規））を受信する。
【００４８】
また、通信部４２０は、グループ通話の開始後に、グループ通話に参加している移動局１００がグループ通話に参加していない移動局１００を呼び出すＩＮＶＩＴＥメッセージ（ＩＮＶＩＴＥ（途中参加））を受信する。
【００４９】
また、通信部４２０は、後述するＩＮＦＯ（圏外通知）に応じて、グループ通話に参加している移動局１００から送信されたＩＮＶＩＴＥ（途中参加）（呼び出しメッセージ）を受信する。かかるＩＮＶＩＴＥ（途中参加）（呼び出しメッセージ）は、未応答（圏外）移動局又は圏外移動局をグループ通話に途中参加させるためのＩＮＶＩＴＥメッセージである。
【００５０】
また、通信部４２０は、制御部４３０の指示に基づいて、後述するＳＭＳ送信要求や監視要求をＳＭＳサーバ５００に送信する。
【００５１】
制御部４３０は、グループ通話処理部４３１と、圏外検出処理部４３２と、呼び出し処理部４３３とを論理ブロックとして備える。なお、これらの論理ブロックは、制御部４３０が所定のプログラムを実行することによって構成される。
【００５２】
グループ通話処理部４３１は、ＳＩＰに従って、グループ通話に関する処理を行う。例えば、グループ通話処理部４３１は、グループ通話の開始処理、グループ通話への途中参加処理などを行う。
【００５３】
グループ通話の開始処理では、グループ通話処理部４３１は、通信部４２０によって受信されたＩＮＶＩＴＥ（新規）に基づいて、発呼側の移動局１００により指定された一以上の移動局１００へのＳＭＳ（登録要求）の送信を要求するＳＭＳ送信要求をＳＭＳサーバ５００に送信するよう通信部４２０に指示する。
【００５４】
ここで、ＳＭＳ（登録要求）は、グループ通話サーバ４００への登録処理を要求するショートメッセージであり、ＳＭＳサーバ５００から回線交換ＮＷ３００ｂを介して移動局１００に送信される。
【００５５】
また、登録処理とは、パケット交換ＮＷ３００ａを介して、移動局１００が、グループ通話サーバ４００に電話番号やユーザＩＤ等を登録する処理や、グループ通話サーバ４００からＩＰアドレスを取得する処理である。
【００５６】
なお、移動局１００は、回線交換ＮＷ３００ｂを介してＳＭＳ（登録要求）を受信すると、自動でパケット交換ＮＷ３００ａを介してグループ通話サーバ４００への登録処理を行う。移動局１００は、かかる登録処理を行うことによって、上述のＩＮＶＩＴＥ（新規）やＩＮＶＩＴＥ（途中参加）を受信することが可能となる。
【００５７】
グループ通話処理部４３１は、ＩＮＶＩＴＥ（新規）の宛先である移動局１００の登録処理が行われると、移動局１００に、ＩＮＶＩＴＥ（新規）を送信するよう通信部４２０に指示する。
【００５８】
グループ通話は、ＩＮＶＩＴＥ（新規）による呼び出しに応答した移動局１００と発呼側の移動局１００とによって開始される。
【００５９】
同様に、グループ通話への途中参加処理では、グループ通話処理部４３１は、通信部４２０によってＩＮＶＩＴＥ（途中参加）が受信された場合、ＳＭＳサーバ５００に対し、受信されたＩＮＶＩＴＥ（途中参加）の宛先である移動局１００へのＳＭＳ（登録要求）の送信を要求するＳＭＳ送信要求を送信するよう通信部４２０に指示する。
【００６０】
そして、グループ通話処理部４３１は、ＩＮＶＩＴＥ（途中参加）の宛先である移動局１００の登録処理が行われると、移動局１００にＩＮＶＩＴＥ（途中参加）を送信するよう通信部４２０に指示する。
【００６１】
グループ通話には、ＩＮＶＩＴＥ（途中参加）による呼び出しに応答した移動局１００が途中参加する。
【００６２】
また、グループ通話処理部４３１は、受信されたＩＮＶＩＴＥ（新規）又はＩＮＶＩＴＥ（途中参加）に基づいて、記憶部４１０にメンバー履歴と移動局種別とを登録する。
【００６３】
圏外検出処理部４３２は、グループ通話に係る移動局１００がネットワークの圏外であることを検出する。
【００６４】
例えば、圏外検出処理部４３２は、グループ通話への呼び出しに未応答の移動局１００のうち、ネットワークの圏外のため応答できなかった移動局１００（未応答（圏外）移動局）や、グループ通話中にネットワークの圏外に移動した移動局１００（圏外移動局）を検出する。
【００６５】
具体的には、圏外検出処理部４３２は、未応答（圏外）移動局として、グループ通話が開始される際に、ＩＮＶＩＴＥ（新規）に応じてＳＭＳ（登録要求）の送信を要求するＳＭＳ送信要求が送信されたにも関わらず、所定時間内にグループ通話サーバ４００への登録処理を行わない移動局１００を検出する。
【００６６】
ここで、上述のように、移動局１００は、回線交換ＮＷ３００ｂを介してＳＭＳ（登録要求）を受信すると、自動でパケット交換ＮＷ３００ａを介してグループ通話サーバ４００への登録処理を行う。したがって、呼び出された移動局１００がネットワークの圏内であれば、グループ通話サーバ４００への登録処理が行われる。
【００６７】
しかしながら、呼び出された移動局１００が回線交換ＮＷ３００ｂの圏外の場合、ＳＭＳ（登録要求）を受信できず、グループ通話サーバ４００への登録処理が行われない。また、呼び出された移動局１００がパケット交換ＮＷ３００ａの圏外の場合、ＳＭＳ（登録要求）を受信できても、グループ通話サーバ４００への登録処理を行うことができない。
【００６８】
したがって、圏外検出処理部４３２は、ＳＭＳ送信要求を送信してから所定時間内に登録処理を行われない移動局１００を未応答（圏外）移動局として検出する。
【００６９】
同様に、圏外検出処理部４３２は、未応答（圏外）移動局として、グループ通話の開始後に、ＩＮＶＩＴＥ（途中参加）に応じてＳＭＳ（登録要求）の送信を要求するＳＭＳ送信要求が送信されたにも関わらず、所定時間内にグループ通話サーバ４００への登録処理を行わない移動局１００を検出する。
【００７０】
なお、圏外検出処理部４３２は、未応答（圏外）移動局を検出した場合、記憶部４１０に記憶された移動局１００の移動局状態を「未応答（圏外）」に更新する。
【００７１】
また、圏外検出処理部４３２は、グループ通話中にネットワークの圏外に移動した移動局１００（圏外移動局）を検出する。
【００７２】
具体的には、圏外検出処理部４３２は、通信部４２０によってグループ通話からの離脱を示すＢＹＥが受信されていないのに、グループ通話中にグループ通話サーバ４００との間のセッションが切断された移動局１００を圏外移動局として検出する。
【００７３】
移動局１００がパケット交換ＮＷ３００ａの圏外に移動した場合、パケット交換ＮＷ３００ａ上の基地局２００ａからの指示に基づいて、移動局１００のグループ通話サーバ４００との間のセッションが切断される。
【００７４】
したがって、圏外検出処理部４３２は、通信部４２０によってグループ通話からの離脱を示すＢＹＥが受信されていないのに、グループ通話サーバ４００との間のセッションが切断された移動局１００を圏外移動局として検出する。
【００７５】
なお、圏外検出処理部４３２は、圏外移動局を検出した場合、記憶部４１０に記憶された移動局１００の移動局状態を「圏外」に更新する。
【００７６】
また、圏外検出処理部４３２は、未応答（圏外）移動局や圏外移動局を検出した場合、その旨をグループ通話に参加している移動局１００に通知するように通信部４２０に指示する。
【００７７】
具体的には、圏外検出処理部４３２は、検出された未応答（圏外）移動局を示す未応答（圏外）移動局情報又は検出された圏外移動局を示す圏外移動局情報を含むメッセージ（ＩＮＦＯ（圏外通知）をグループ通話に参加している移動局１００に送信するよう通信部４２０に指示する。
【００７８】
呼び出し処理部４３３は、通信部４２０によって未応答（圏外）移動局又は圏外移動局をグループ通話に途中参加させるためのＩＮＶＩＴＥ（途中参加）（呼び出しメッセージ）が受信された場合、ＩＮＶＩＴＥ（途中参加）の宛先の未応答（圏外）移動局や圏外移動局が、ネットワークの圏内に移動したか否かを監視することを要求する監視要求をＳＭＳサーバ５００に送信するよう通信部４２０に指示する。
【００７９】
また、呼び出し処理部４３３は、記憶部４１０に記憶された移動局状態が「未応答（圏外）」又は「圏外」の移動局１００に対し、該移動局１００を宛先として受信されたＩＮＶＩＴＥ（途中参加）を送信するよう通信部４２０に指示する。
【００８０】
かかるＩＮＶＩＴＥ（途中参加）による呼び出しに応じることによって、ネットワークの圏外からネットワークの圏内に移動した移動局１００は、グループ通話に途中参加することができる。
【００８１】
（移動局の構成）
図４乃至６を参照し、本実施形態に係る通信システムにおいて用いられる移動局１００、特に上述のグループ通話サーバ４００から受信した未応答（圏外）移動局情報又は圏外移動局情報に基づいて、未応答（圏外）移動局又は圏外移動局をグループ通話に途中参加させる移動局１００（例えば、移動局１００ａ）の構成について説明する。
【００８２】
また、移動局１００ａ〜１００ｆは、未応答（圏外）移動局又は圏外移動局をグループ通話に途中参加させる場合、同様の構成を有するのは勿論のことである。
【００８３】
（１）概略ハードウェア構成
図４は、移動局１００の概略ハードウェア構成図である。図４に示すように、移動局１００は、アンテナ１０１と、パワーアンプ１０２と、ＲＦ／ＩＦ変換器１０３と、ベースバンドプロセッサ１０４と、コーデック部１０５と、音声入出力部１０６と、映像入出力部１０７と、メモリ１０８と、操作部１０９と、ＣＰＵ１１０とを有する。
【００８４】
アンテナ１０１は、パケット交換ＮＷ３００ａと回線交換ＮＷ３００ｂとに接続された基地局２００ａ、２００ｂとの間で無線信号を送受信する。パワーアンプ１０２は、ＲＦ／ＩＦ変換器１０３から出力された無線信号を増幅する。
【００８５】
ＲＦ／ＩＦ変換器１０３は、無線周波数（ＲＦ）と中間周波数（ＩＦ）との変換を実行する。ベースバンドプロセッサ１０４は、所定の変調方式（ＰＳＫやＱＡＭなど）にした
がって、ベースバンド信号の変調などを実行する。
【００８６】
本実施形態では、ＲＦ／ＩＦ変換器１０３とベースバンドプロセッサ１０４とによって、グループ通話において、移動局１００間の呼制御に用いられるＳＩＰのメッセージ（例えば、ＩＮＶＩＴＥメッセージ、ＩＮＦＯメッセージ、２００  ＯＫ等）が、基地局２００ａ及びパケット交換ＮＷ３００ａを介してグループ通話サーバ４００と送受信される。
【００８７】
特に、本実施形態では、ＲＦ／ＩＦ変換器１０３とベースバンドプロセッサ１０４とによって、ＩＮＦＯ（圏外通知）がグループ通話サーバ４００から受信される。
【００８８】
ＩＮＦＯ（圏外通知））とは、未応答（圏外）移動局を示す未応答（圏外）移動局情報又は圏外移動局を示す圏外移動局情報を含むＩＮＦＯメッセージである。本実施形態において、ＲＦ／ＩＦ変換器１０３とベースバンドプロセッサ１０４とによって、受信部が構成される。
【００８９】
また、ＣＰＵ１１０の指示に基づいて、ＲＦ／ＩＦ変換器１０３とベースバンドプロセッサ１０４とによって、未応答（圏外）移動局や、圏外移動局をグループ通話に途中参加させるＩＮＶＩＴＥ（途中参加）（呼び出しメッセージ）が送信される。本実施形態において、ＲＦ／ＩＦ変換器１０３とベースバンドプロセッサ１０４とによって、送信部が構成される。
【００９０】
コーデック部１０５は、音声コーデック部１０５ａと映像コーデック部１０５ｂとを有
する。音声コーデック部１０５ａは、所定の音声符号化方式（例えば、ＥＶＲＣ）に基づいて音声信号の符号化及び復号を実行する。映像コーデック部１０５ｂは、所定の映像符
号化方式（例えば、ＭＰＥＧ−４）に基づいて映像信号の符号化及び復号を実行する。
【００９１】
音声入出力部１０６は、マイク１０６ａとスピーカ１０６ｂとを有する。音声入出力部
１１１は、音声コーデック部１０５ａと接続されている。映像入出力部１０７は、カメラ
１０７ａと表示部１０７ｂとを有する。映像入出力部１０７は、映像コーデック部１０５ｂと接続されている。
【００９２】
本実施形態において、表示部１０７ｂは、ＣＰＵ１１０の指示に基づいて、例えば、図６に示すように、未応答（圏外）移動局又は圏外移動局の途中参加を認めるか否かに係る判断をユーザに促す情報を画像情報として表示する。
【００９３】
メモリ１０８は、ＣＰＵ１１０において実行される各種のプログラムや、ユーザによって登録された情報などを記憶する。
【００９４】
操作部１０９は、文字や数字などを入力する入力キー、通話を開始するための発呼キー、着呼（呼び出し）に応答するための応答キーなどによって構成されたキー群である。また、操作部１０９は、各キーが押下されると、押下されたキーに対応する信号をＣＰＵ１１０に入力する。
【００９５】
本実施形態において、操作部１０９は、表示部１０７ｂに表示された画像情報に基づいて、ユーザからの未応答（圏外）移動局又は圏外移動局の途中参加を認めるか否かを示す指示を受け付ける。
【００９６】
ＣＰＵ１１０は、ベースバンドプロセッサ１０４、コーデック部１０５、映像入出力部
１０７、メモリ１０８及び操作部１０９の各ブロックと接続されている。ＣＰＵ１１０は、メモリ１０８に記憶されているプログラムを実行することによって、当該ブロックとのデータの送受信や、当該ブロックの制御を実行する。
【００９７】
（２）論理ブロック構成
図５は、ＣＰＵ１１０が所定のプログラムを実行することによって実現される論理ブロ
ックの構成を示す。図５に示すように、ＣＰＵ１１０が所定のプログラムを実行すること
によって、グループ通話処理部１１１と、圏外通知取得部１１２と、呼び出し処理部１１３とが構成される。
【００９８】
グループ通話処理部１１１は、グループ通話に係る処理を行う。具体的には、グループ通話処理部１１１は、グループ通話を開始する際に、初期指定メンバーを呼び出すＩＮＶＩＴＥ（新規）を生成し、ベースバンドプロセッサ１０４に入力し、グループ通話サーバ４００に送信するように制御する。
【００９９】
また、グループ通話処理部１１１は、グループ通話の開始後に、グループ通話に参加していない移動局１００を呼び出すＩＮＶＩＴＥ（途中参加）を生成し、ベースバンドプロセッサ１０４に入力し、グループ通話サーバ４００に送信するように制御する。
【０１００】
圏外通知取得部１１２は、グループ通話サーバ４００から受信されたＩＮＦＯ（圏外通知）に含まれる未応答（圏外）移動局情報又は圏外移動局情報を取得する。
【０１０１】
また、圏外通知取得部１１２は、取得した未応答（圏外）移動局情報に対応する未応答（圏外）移動局の途中参加を認めるか否かに係る判断を促す画像情報（例えば、図６）を表示部１０７ｂに表示させる。
【０１０２】
また、圏外通知取得部１１２は、取得した圏外移動局情報に対応する圏外移動局の途中参加を認めるか否かに係る判断を促す画像情報（例えば、図６）を表示部１０７ｂに表示させる。
【０１０３】
呼び出し処理部１１３は、例えば図６に示す表示画面におけるユーザの操作に基づいて、未応答（圏外）移動局又は圏外移動局をグループ通話に途中参加させるＩＮＶＩＴＥ（途中参加）（呼び出しメッセージ）を生成する。また、呼び出し処理部１１３は、生成したＩＮＶＩＴＥ（途中参加）をベースバンドプロセッサ１０４に入力し、グループ通話サーバ４００に送信するように制御する。
【０１０４】
（ＳＭＳサーバの構成）
図７を参照し、ＳＭＳサーバ５００の構成について説明する。図７に示すように、ＳＭＳサーバ５００は、通信部５１０と、制御部５２０とを備える。
【０１０５】
通信部５１０は、グループ通話サーバ４００から上述のＳＭＳ送信要求や監視要求等を受信する。また、通信部５１０は、移動局１００との間でショートメッセージを送受信する。
【０１０６】
制御部５２０は、監視要求取得部５２１と、圏内検出部５２２と、登録要求処理部５２３とを論理ブロックとして備える。なお、これらの論理ブロックは、制御部５２０が所定のプログラムを実行することによって構成される。
【０１０７】
監視要求取得部５２１は、上述の未応答（圏外）移動局又は圏外移動局がネットワークの圏内に移動したか否かを監視することを要求する監視要求を取得する。
【０１０８】
圏内検出部５２２は、監視要求取得部５２１によって取得された監視要求に対応する移動局１００がネットワークの圏内に移動したことを検出する。
【０１０９】
具体的には、圏内検出部５２２は、基地局２００ｂからの通知により、監視要求に対応する移動局１００が回線交換ＮＷ３００ｂの圏内に移動したことを検出する。
【０１１０】
ここで、監視要求に対応する移動局１００は、回線交換ＮＷ３００ｂの圏外から圏内に移動した場合、基地局２００ｂを介してＨＬＲに対する位置登録処理を行う。圏内検出部５２２は、基地局２００ｂから監視要求に対応する移動局１００の位置登録処理が行われたことを示す通知を取得することによって、監視要求に対応する移動局１００が回線交換ＮＷ３００ｂの圏内に移動したことを検出する。
【０１１１】
なお、上述のように、一般的な通信システムでは、回線交換ＮＷ３００ｂのエリアとパケット交換ＮＷ３００ａのエリアとは、概等しいと考えられる。このため、圏内検出部５２２は、監視要求に対応する移動局１００が回線交換ＮＷ３００ｂの圏内に移動したことを検出することによって、パケット交換ＮＷ３００ａを含むネットワークの圏内に移動したと推定する。
【０１１２】
登録要求処理部５２３は、圏内検出部５２２によって、監視要求に対応する移動局１００がネットワークの圏内に移動したことが検出された場合、グループ通話サーバ４００への登録処理を要求するＳＭＳ（登録要求）を監視要求に対応する移動局１００に送信するよう通信部５１０に指示する。
【０１１３】
（本実施形態に係る通信システムの通信方法）
以下、図８乃至図１１を参照し、本実施形態に係るネットワークの圏外からネットワークの圏内に移動した移動局１００をグループ通話に途中参加させる動作について説明する。
【０１１４】
（１）圏外検出処理
第１に、図８乃至図１０を参照し、グループ通話サーバ４００が、グループ通話に係る移動局１００が上述の未応答（圏外）移動局や圏外移動局として検出される処理（圏外検出処理）について説明する。
【０１１５】
（１―１）圏外検出処理（パターン１）
図８は、グループ通話を開始する際にグループ通話への呼び出しに応答しない未応答（圏外）移動局が検出されるシーケンス図である。パターン１では、未応答（圏外）移動局は初期指定メンバーである。以下では、初期指定メンバーの移動局１００ｄが未応答（圏外）移動局として検出される例について説明する。
【０１１６】
図８に示すように、ステップＳ１０１において、発呼側の移動局１００である移動局１００ａは、ユーザによって指定された初期指定メンバー（移動局１００ｂ〜１００ｄ）を呼び出すＩＮＶＩＴＥ（新規）をグループ通話サーバ４００に送信する。
【０１１７】
ステップＳ１０２において、グループ通話サーバ４００は、ＳＭＳサーバ５００に対して、ＳＭＳ（登録要求）を初期指定メンバーに送信するよう要求するＳＭＳ送信要求を送信する。
【０１１８】
ステップＳ１０３ｂ〜Ｓ１０３ｄにおいて、ＳＭＳサーバ５００は、受信したＳＭＳ送信要求に基づいて、グループ通話サーバ４００への登録処理を要求するＳＭＳ（登録要求）を初期指定メンバーに送信する。
【０１１９】
なお、ステップＳ１０３ｄにおいて、移動局１００ｄは、回線交換ＮＷ３００ｂの圏外であるため、ＳＭＳ（登録要求）を受信できないものとする。
【０１２０】
ステップＳ１０４ｂ、Ｓ１０４ｃにおいて、ＳＭＳサーバ５００から送信されたＳＭＳ（登録要求）を受信した移動局１００ｂ、１００ｃは、グループ通話サーバ４００への登録処理（ＩＰアドレスの取得等）を行う。
【０１２１】
ステップＳ１０５ｂ、Ｓ１０５ｃにおいて、グループ通話サーバ４００は、登録処理が行われた移動局１００ｂ、１００ｃに対して、Ｓ１０１で受信された発呼側の移動局１００ａからのＩＮＶＩＴＥ（新規）を送信する。
【０１２２】
ステップＳ１０６ｂにおいて、移動局１００ｂは、受信したＩＮＶＩＴＥ（新規）に応じて、自局のユーザを呼び出し中であることを示す１８０  Ｒｉｎｇｉｎｇ、ユーザが応答したことを示す２００  ＯＫをグループ通話サーバ４００に送信する。移動局１００ｂからの２００  ＯＫに応じて、発信側の移動局１００ａからのＡＣＫがグループ通話サーバ４００に送信されると、移動局１００ｂがグループ通話に参加する。
【０１２３】
同様に、ステップＳ１０６ｃにおいて、移動局１００ｃも、受信したＩＮＶＩＴＥ（新規）に応じてグループ通話に参加する。
【０１２４】
ステップＳ１０７において、発呼側の移動局１００ａと、発呼側の移動局１００ａからの呼び出しに応答した移動局１００ｂ、１００ｃとが参加するグループ通話が行われる。
【０１２５】
ステップＳ１０８において、グループ通話サーバ４００は、未応答（圏外）移動局として、移動局１００ｄを検出する。
【０１２６】
具体的には、グループ通話サーバ４００は、移動局１００ａから受信したＩＮＶＩＴＥ（新規）に応じて、ステップＳ１０２でＳＭＳ（登録要求）の送信を要求するＳＭＳ送信要求が送信されてから、所定時間内にグループ通話サーバ４００への登録処理を行わない移動局１００ｄを未応答（圏外）移動局として検出する。
【０１２７】
また、グループ通話サーバ４００は、記憶部４１０に記憶されている移動局１００ｄの移動局状態を「未応答（圏外）」に更新する。
【０１２８】
なお、図示しないが、パケット交換ＮＷ３００ａの圏外のため、ＳＭＳ（登録要求）を受信しても、グループ通話サーバ４００への登録処理を行うことができない移動局１００ｄも、未応答（圏外）移動局として検出される。
【０１２９】
（１―２）圏外検出処理（パターン２）
図９は、グループ通話の開始後にグループ通話への呼び出しに応答しない未応答（圏外）移動局が検出されるシーケンス図である。以下では、途中指定メンバーの移動局１００ｅが未応答（圏外）移動局として検出される例について説明する。
【０１３０】
図９に示すように、ステップＳ２０１において、移動局１００ａ〜１００ｃとが参加するグループ通話が行われる。
【０１３１】
ステップＳ２０２において、グループ通話に参加している移動局１００ａは、グループ通話に参加していない移動局１００ｅを呼び出すＩＮＶＩＴＥ（途中参加）をグループ通話サーバ４００に送信する。
【０１３２】
ステップＳ２０３において、グループ通話サーバ４００は、移動局１００ｅにＳＭＳ（登録要求）を送信するよう要求するＳＭＳ送信要求をＳＭＳサーバ５００に送信する。
【０１３３】
ステップＳ２０４において、移動局１００ｅは、回線交換ＮＷ３００ｂの圏外であるため、ＳＭＳ（登録要求）を受信できないものとする。
【０１３４】
ステップＳ２０５において、上述の図８のステップＳ１０８と同様に、グループ通話サーバ４００は、受信したＩＮＶＩＴＥ（途中参加）に応じて、ステップＳ２０３でＳＭＳ（登録要求）の送信を要求するＳＭＳ送信要求が送信されてから、所定時間内にグループ通話サーバ４００への登録処理を行わない移動局１００ｅを未応答（圏外）移動局として検出する。
【０１３５】
また、グループ通話サーバ４００は、記憶部４１０に記憶されている移動局１００ｅの移動局状態を「未応答（圏外）」に更新する。
【０１３６】
なお、図示しないが、パケット交換ＮＷ３００ａの圏外のため、ＳＭＳ（登録要求）を受信しても、グループ通話サーバ４００への登録処理を行うことができない移動局１００ｅも、未応答（圏外）移動局として検出される。
【０１３７】
（１―３）圏外検出処理（パターン３）
図１０は、グループ通話中にネットワークの圏外に移動した圏外移動局が検出される際のシーケンス図である。以下では、途中指定メンバーの移動局１００ｆが圏外移動局として検出される例について説明する。
【０１３８】
図１０に示すように、ステップＳ３０１において、移動局１００ａ〜１００ｃ、１００ｆとが参加するグループ通話が行われる。
【０１３９】
ステップＳ３０２において、グループ通話に参加している移動局１００ｆとグループ通話サーバ４００との間のセッションが切断される。
【０１４０】
ステップＳ３０３において、グループ通話サーバ４００は、移動局１００ｆのグループ通話からの離脱を示すＢＹＥを受信していないのに、セッションが切断されたことから移動局１００ｆをネットワークの圏外に移動した圏外移動局として検出する。
【０１４１】
また、グループ通話サーバ４００は、記憶部４１０に記憶されている移動局１００ｆの移動局状態を「圏外」に更新する。
【０１４２】
（２）途中参加処理
第２に、図１１を参照し、上述の圏外検出処理（パターン１〜３）によって検出された未応答（圏外）移動局や圏外移動局がネットワークの圏内に移動した際に、グループ通話に途中参加させる動作について説明する。
【０１４３】
図１１は、ネットワークの圏内に移動した未応答（圏外）移動局や圏外移動局をグループ通話に途中参加させる動作を示すシーケンス図である。
【０１４４】
ステップＳ４０１において、上述のパターン１〜３のいずれかの圏外検出処理が行われ、未応答（圏外）移動局又は圏外移動局が検出される。以下、移動局１００ｄが未応答移動局として検出された場合に（上述のパターン１）以下の処理を行う例を説明するが、移動局１００ｅが未応答移動局として検出された場合（上述のパターン２）や、移動局１００ｆが圏外移動局として検出された場合（上述のパターン３）についても同様に動作する。
【０１４５】
ステップＳ４０２において、移動局１００ａ〜１００ｃが参加するグループ通話が行われている。
【０１４６】
ステップＳ４０３において、グループ通話サーバ４００は、グループ通話に参加している移動局１００ａ〜１００ｃに対して、ステップＳ４０１で検出された移動局１００ｄの情報を通知するＩＮＦＯ（圏外通知）を送信する。なお、ＩＮＦＯ（圏外通知）には、上述の未応答（圏外）移動局情報として、未応答（圏外）移動局である移動局１００ｄの識別する情報が含まれる。
【０１４７】
ステップ４０４ａ〜４０４ｃにおいて、例えば、図６に示すように、移動局１００ａ〜１００ｃは、受信したＩＮＦＯ（圏外通知）に含まれる未応答（圏外）移動局情報に基づいて、移動局１００ｄの途中参加を認めるか否かに係る判断をユーザに促す情報を表示する。
【０１４８】
ステップＳ４０５において、移動局１００ａは、図６の表示画面においてユーザによる「はい」を選択する動作を受け付けると、未応答（圏外）移動局情報に対応する移動局１００ｄをグループ通話に途中参加させるＩＮＶＩＴＥ（途中参加）をグループ通話サーバ４００に送信する。
【０１４９】
ステップＳ４０６において、グループ通話サーバ４００は、ステップＳ４０５で受信したＩＮＶＩＴＥ（途中参加）の宛先である移動局１００ｄがネットワークの圏内に移動したか否かを監視する監視要求をＳＭＳサーバ５００に送信する。
【０１５０】
ステップＳ４０７において、ＳＭＳサーバ５００は、基地局２００ｂからの監視要求に対応する移動局１００ｄからの位置登録処理が行われたことを示す通知を取得することによって、監視要求に対応する移動局１００ｄが回線交換ＮＷ３００ｂの圏内に移動したことを検出する。ここで、上述のように、ＳＭＳサーバ５００は、回線交換ＮＷ３００ｂの圏内に移動した移動局１００ｄがパケット交換ＮＷ３００ａを含むネットワークの圏内に移動したと推定する。
【０１５１】
ステップＳ４０８において、ＳＭＳサーバ５００は、ステップＳ４０７で検出された移動局１００ｄにＳＭＳ（登録要求）を送信する。
【０１５２】
ステップＳ４０９において、移動局１００ｄは、受信したＳＭＳ（登録要求）に応じて、グループ通話サーバ４００への登録処理を行う。
【０１５３】
ステップＳ４１０において、グループ通話サーバ４００は、記憶部４１０を参照し、ステップＳ４０５で受信したＩＮＶＩＴＥ（途中参加）の宛先である移動局１００ｄからの登録処理が行われたことを検出する。そして、グループ通話サーバ４００は、ステップＳ４０５で受信したＩＮＶＩＴＥ（途中参加）を移動局１００ｄに送信する。
【０１５４】
ステップＳ４１１において、移動局１００ｄは、ステップＳ４１０で受信したＩＮＶＩＴＥ（途中参加）に応じてユーザを呼び出していることを示す１８０  Ｒｉｎｇｉｎｇをグループ通話サーバ４００に送信する。
【０１５５】
ステップＳ４１２において、グループ通話サーバ４００は、ＩＮＶＩＴＥ（途中参加）の送信元である移動局１００ａに対して、受信した１８０  Ｒｉｎｇｉｎｇを送信する。
【０１５６】
ステップＳ４１３において、移動局１００ｄは、ステップＳ４１０で受信したＩＮＶＩＴＥ（途中参加）に応じてユーザが応答したことを示す２００  ＯＫをグループ通話サーバ４００に送信する。
【０１５７】
ステップＳ４１４において、グループ通話サーバ４００は、ＩＮＶＩＴＥ（途中参加）の送信元である移動局１００ａに対して、受信した２００  ＯＫを送信する。
【０１５８】
ステップＳ４１５において、移動局１００ａは、受信した２００  ＯＫに応じてグループ通話サーバ４００にＡＣＫを送信する。
【０１５９】
ステップＳ４１６において、移動局１００ａ〜１００ｄが参加するグループ通話が行われる。
【０１６０】
（本実施形態に係る通信システム及び通信方法の作用・効果）
本実施形態に係る通信システム及び通信方法によれば、移動局１００は、未応答（圏外）移動局情報（未応答移動局情報）を受信し、未応答（圏外）移動局情報に対応する移動局１００をグループ通話に途中参加させるＩＮＶＩＴＥ（途中参加）（呼び出しメッセージ）を送信する。したがって、自発的にグループ通話に途中参加することが許容されていないシステムにおいて、グループ通話に呼び出されたにもかかわらず、その呼び出しに応答できなかった移動局をグループ通話に途中参加させることができる。
【０１６１】
本実施形態に係る通信システム及び通信方法によれば、表示部に未応答（圏外）移動局情報に対応する移動局１００の途中参加を認めるか否かに係る判断を促す情報を表示することによって、グループ通話に参加している移動局１００のユーザの意図を反映させながら、未応答移動局情報に対応する移動局１００をグループ通話に途中参加させることができる。
【０１６２】
本実施形態に係る通信システム及び通信方法によれば、移動局１００は、圏外移動局情報を受信し、圏外移動局情報に対応する移動局をグループ通話に途中参加させるＩＮＶＩＴＥ（途中参加）（呼び出しメッセージ）を送信する。したがって、自発的にグループ通話に途中参加することが許容されていないシステムにおいて、グループ通話中に圏外に移動してしまった移動局１００であっても、圏内に戻った場合に、グループ通話に再参加させることができる。
【０１６３】
本実施形態に係る通信システム及び通信方法によれば、表示部に圏外移動局情報に対応する移動局の途中参加を認めるか否かに係る判断を促す情報を表示することによって、グループ通話に参加している移動局１００のユーザの意図を反映させながら、圏外移動局情報に対応する移動局をグループ通話に途中参加させることができる。
【０１６４】
（変更例１）
本発明は、上記実施形態に限定されるものではなく、種々の変更が可能である。
【０１６５】
例えば、上記実施形態では、ＳＭＳサーバ５００は、監視要求に対応する移動局１００ｄがネットワークの圏内に移動したことを検出してからＳＭＳ（登録要求）を送信するものとして説明したが、ＳＭＳサーバ５００は、以下のように監視要求に対応する移動局１００にＳＭＳ（登録要求）を送信し続けてもよい。
【０１６６】
かかる場合、ＳＭＳ（登録要求）を受信した移動局１００ｄによるグループ通話サーバ４００への登録処理が行われた時に、グループ通話サーバ４００によって移動局１００ｄがネットワークの圏内に移動したことが検出される。
【０１６７】
図１２は、ネットワークの圏外からネットワークの圏内に移動した移動局１００ｄをグループ通話に途中参加させる動作の変更例を示すシーケンス図である。なお、図１２のステップＳ５０１〜Ｓ５０６については、図１１のステップＳ４０１〜Ｓ４０６と同様のため説明を省略する。
【０１６８】
ステップＳ５０７において、ＳＭＳサーバ５００は、監視要求に対応する移動局１００ｄがＳＭＳ（登録要求）を受信するまで、グループ通話サーバ４００への登録処理を要求するＳＭＳ（登録要求）を再送する。
【０１６９】
ステップＳ５０８において、監視要求に対応する移動局１００ｄは、ＳＭＳ（登録要求）を受信したことを示す受信完了通知を送信する。受信完了通知を受信したＳＭＳサーバ５００は、ＳＭＳ（登録要求）の再送を終了する。
【０１７０】
なお、Ｓ５０９〜Ｓ５１６については、図１１のステップＳ４０９〜Ｓ４１６と同一の動作のため説明を省略する。
【０１７１】
変更例１によれば、ＳＭＳサーバ５００に、監視要求に対応する移動局１００ｄがネットワークの圏内に移動したことを検出するための処理を実装することなく、監視要求に対応する移動局１００ｄにグループ通話サーバ４００への登録処理を行わせることができる。その結果、グループ通話に移動局１００ｄを途中参加させることができる。
【０１７２】
（変更例２）
上述の実施形態では、グループ通話に呼び出された移動局１００のうち、ネットワークの圏外のため応答できなかった未応答（圏外）移動局をネットワークの圏内に移動した際にグループ通話に途中参加させる通信システムについて説明した。
【０１７３】
しかしながら、例えば、グループ通話に呼び出された移動局１００のうち、ＩＮＶＩＴＥ（新規）又はＩＮＶＩＴＥ（途中参加）を受信しても（すなわち、ネットワークの圏内であっても）、ユーザが呼び出しに気付かず応答できなかった移動局１００（未応答（圏内）移動局）等をグループ通話に途中参加させることもできる。
【０１７４】
かかる場合、グループ通話に参加している移動局１００は、未応答（圏内）移動局がＩＮＶＩＴＥ（新規）又はＩＮＶＩＴＥ（途中参加）を受信したにも関わらずユーザが応答しなかったことを示す通知（例えば、６０３  Ｄｅｃｌｉｎｅなど）を受信することによって、上述のＩＮＶＩＴＥ（途中参加）（呼び出しメッセージ）を送信するようにしてもよい。
【０１７５】
変更例２によれば、グループ通話に呼び出された移動局１００のユーザが呼び出しに気付かなかったため応答することができなかった場合等に、再度呼び出しをかけることによってグループ通話に途中参加させることを可能とする。
【０１７６】
（その他の実施形態）
なお、本実施形態では、通信プロトコルとしてＳＩＰを用いる場合について説明したが、本発明は、かかる場合に限定されることはなく、実施形態の動作を実現することができる他の通信プロトコルがあれば、当該他の通信プロトコルを用いた場合にも適用可能である。
【０１７７】
例えば、上述のグループ通話サーバ４００とＳＭＳサーバ５００とは、別のサーバではなく、１つのサーバによって構成されていてもよい。
【０１７８】
また、上述の実施形態では、ネットワークの圏外からネットワークの圏内に移動した移動局を検出する処理は、ＳＭＳサーバ５００で行われものとして説明したが、グループ通話サーバ４００で検出されるように構成されていてもよい。
【０１７９】
以上、本発明の一例を説明したが、具体例を例示したに過ぎず、特に本発明を限定するものではなく、各部の具体的構成等は、適宜設計変更可能である。また、各実施形態の構成及び各変更例の構成もそれぞれ組み合わせることが可能である。また、各実施形態及び各変更例の作用及び効果は、本発明から生じる最も好適な作用及び効果を列挙したに過ぎず、本発明による作用及び効果は、各実施形態及び各変更例に記載されたものに限定されるものではない。
【図面の簡単な説明】
【０１８０】
【図１】本発明の実施形態に係る通信システムの全体概略構成図である。
【図２】本発明の実施形態に係るグループ通話サーバのブロック構成図である。
【図３】本発明の実施形態に係るグループ通話サーバの記憶部の一例を示す図である。
【図４】本発明の実施形態に係る移動局１００の概略ハードウェア構成図である。
【図５】本発明の実施形態に係る移動局１００のＣＰＵの論理ブロック構成図である。
【図６】本発明の実施形態に係る移動局１００ｅの表示画面を示す図ある。
【図７】本発明の実施形態に係るＳＭＳサーバのブロック構成図である。
【図８】本発明の実施形態に係る通信システムにおける圏外検出処理（パターン１）を示すシーケンス図である。
【図９】本発明の実施形態に係る通信システムにおける圏外検出処理（パターン２）を示すシーケンス図である。
【図１０】本発明の実施形態に係る通信システムにおける圏外検出処理（パターン３）を示すシーケンス図である。
【図１１】本発明の実施形態に係る通信システムにおける途中参加処理を示すシーケンス図である。
【図１２】本発明の変更例に係る通信システムにおける途中参加処理を示すシーケンス図である。
【符号の説明】
【０１８１】
１００ａ〜１００ｆ…移動局、１０１…アンテナ、１０２…パワーアンプ、１０３…ＲＦ／ＩＦ変換器、１０４…ベースバンドプロセッサ、１０５…コーデック部、１０５ａ…音声コーデック部、１０５ｂ…映像コーデック部、１０６…音声入出力部、１０６ａ…マイク、１０６ｂ…スピーカ、１０７…映像入出力部、１０７ｂ…表示部、１０８…メモリ、１０９…操作部、１１０…ＣＰＵ、１１１…グループ通話処理部、１１２…圏外通知取得部、１１３…呼び出し処理部、２００ａ…基地局、２００ｂ…基地局、３００ａ…パケット交換ＮＷ、３００ｂ…回線交換ＮＷ、４００…グループ通話サーバ、４１０…記憶部、４２０…通信部、４３０…制御部、４３１…グループ通話処理部、４３２…圏外検出処理部、４３３…呼び出し処理部、５００…ＳＭＳサーバ、５１０…通信部、５２０…制御部、５２１…監視要求取得部、５２２…圏内検出部、５２３…登録要求処理部
【図１】
2008005169.tif 000003
【図４】
2008005169.tif 000004
【図５】
2008005169.tif 000005
【図６】
2008005169.tif 000006
【図７】
2008005169.tif 000007
【図８】
2008005169.tif 000008
【図９】
2008005169.tif 000009
【図１０】
2008005169.tif 000010
【図１１】
2008005169.tif 000011
【図１２】
2008005169.tif 000012
【図２】
2008005169.tif 000013
【図３】
2008005169.tif 000014